(57)【特許請求の範囲】
【請求項１】
表示部に少なくとも１つのウィジェットを出力する出力過程と、
前記出力された前記少なくとも１つのウィジェットに対応する第１のウィジェット、ここで前記第１のウィジェットは前記第１のウィジェットを介して提供される情報の第１セットを表示するように関連付けされた第１構成の形式により表示される、のサイズを変更するための信号を受信する受信過程と、
前記第１のウィジェットのサイズを変更するための信号が閾値レベルに到達した場合に、第２のウィジェットを、前記第１のウィジェットとは異なるサイズを有するとともに前記第２のウィジェットを介して提供される情報の第２セットを表示するように関連付けされた第２構成の形式により、表示し、
前記第１のウィジェットを、前記第２のウィジェットを表示するように、置き換え、
前記第２構成は、前記第１構成と異なり、
前記情報の第１セットと前記情報の第２セットとはサーバからの受信により、リアルタイムまたは周期的にアップデートされる
ことを特徴とする携帯端末に表示されるウィジェット変更機能支援方法。
【請求項２】
前記第２のウィジェットの個数とサイズ情報を収集する過程と、
前記個数とサイズ情報を基準にして各タイプのウィジェットに対応する一定領域を含むガイドフレームを生成する過程と、
前記生成されたガイドフレームを前記表示部に出力するガイドフレーム出力過程をさらに含む
ことを特徴とする請求項１に記載のウィジェット変更機能支援方法。
【請求項３】
前記各タイプのウィジェットと関連した少なくとも１つの参照地点を前記ガイドフレーム上の一定領域に各々出力する参照地点出力過程をさらに含む
ことを特徴とする請求項２に記載のウィジェット変更機能支援方法。
【請求項４】
前記参照地点出力過程は、
前記各タイプのウィジェットに対応する領域の特定の角部領域に前記参照地点を出力する過程である
ことを特徴とする請求項３に記載のウィジェット変更機能支援方法。
【請求項５】
前記参照地点出力過程は、
同一の種類且つ異なるタイプであるものの、同一サイズのウィジェットが存在する場合、同一領域内で互いに区分される位置に各ウィジェットの参照地点を出力する過程と；
前記参照地点指定のための信号発生時に、当該参照地点に対応するタイプのウィジェットをプレビュー状態で前記表示部に出力し、画面適用のための信号発生時に、当該タイプのウィジェットを前記表示部に出力された画面に適用する過程と；
前記参照地点指定のための信号発生時に、当該参照地点に対応するタイプのウィジェットを前記表示部に出力された画面に適用する過程；のうちいずれか１つの過程を含む
ことを特徴とする請求項３に記載のウィジェット変更機能支援方法。
【請求項６】
前記ガイドフレーム出力過程は、
ロングタッチイベントによって前記参照地点を含む前記ガイドフレームを出力する過程であり、
前記置き換え過程は、
以前出力されたウィジェットのわく領域上に配置された参照地点上で発生するタッチイベントが他の参照地点に移動する場合、当該参照地点に対応するウィジェットを前記表示部にプレビュー状態で出力した後、画面適用のための信号発生によって以前のウィジェットが出力された画面に現在選択された参照地点に対応するウィジェットを適用する過程である
ことを特徴とする請求項３に記載のウィジェット変更機能支援方法。
【請求項７】
スクリーンに少なくとも１つのウィジェットを出力するように構成された表示部と；
前記出力された前記少なくとも１つのウィジェットに対応する第１のウィジェット、ここで前記第１のウィジェットは前記第１のウィジェットを介して提供される情報の第１セットを表示するように関連付けされた第１構成の形式により表示される、のサイズを変更するための信号を動作可能に受信するように構成された制御部と、を備え、
前記第１のウィジェットのサイズを変更するための信号が閾値レベルに到達した場合に、第２のウィジェットを、前記第１のウィジェットとは異なるサイズを有するとともに前記第２のウィジェットを介して提供される情報の第２セットを表示するように関連付けされた第２構成の形式により、表示し、
前記第１のウィジェットを、前記第２のウィジェットを表示するように、置き換え、
前記第２構成は、前記第１構成と異なり、
前記情報の第１セットと前記情報の第２セットとはサーバからの受信により、リアルタイムまたは周期的にアップデートされる
ことを特徴とする表示部に表示されるウィジェットの変更機能を支援する携帯端末。
【請求項８】
前記制御部は、
前記第２のウィジェットの個数とサイズ情報を収集し、前記個数とサイズ情報を基準にして各タイプのウィジェットに対応する一定領域を含むガイドフレームを生成するように制御するか、または
前記各タイプのウィジェットと関連した少なくとも１つの参照地点を前記ガイドフレーム上の一定領域に各々出力するように制御することを特徴とするウィジェット変更機能を支援する
ことを特徴とする請求項７に記載の携帯端末。
【請求項９】
前記表示部は、
前記参照地点を各タイプのウィジェットに対応する領域の特定の角領域に出力するか、
前記参照地点を各タイプのウィジェットを同一領域内で互いに区分される位置に出力するか、
前記参照地点指定のための信号発生時に、当該参照地点に対応するタイプのウィジェットをプレビュー状態で出力し、画面適用のための信号発生時に、当該タイプのウィジェットを現在出力されている画面に適用して出力するか、または
前記参照地点指定のための信号発生時に、当該参照地点に対応するタイプのウィジェットを現在出力されている画面にすぐ適用して出力する
ことを特徴とする請求項８に記載のウィジェット変更機能を支援する携帯端末。
【発明の詳細な説明】
【技術分野】
【０００１】
本発明は、携帯端末に関し、特に携帯端末の画面に出力されるオブジェクトのプロパティ調整をより自由で且つ便利に行うことができるように支援するオブジェクト変更機能支援方法及びこれを支援する携帯端末に関する。
【背景技術】
【０００２】
携帯端末は、移動性を基盤にして通話機能を支援する端末であって、その利用の便利性と携帯の容易性などに起因して非常に幅広い分野において用いられている。このような携帯端末は、ユーザ機能提供のために多様な入力方式を提供している。例えば、従来、携帯端末は、タッチパネルと表示部を含むタッチスクリーンを提供することによって、ユーザが表示部に出力される特定イメージを選択するために行う動作をタッチパネルで処理することができる。また、上記携帯端末は、当該ユーザ動作によるタッチイベントを生成し、これを基盤にしてユーザ機能に対応するアプリケーションプログラムを制御している。
【０００３】
一方、携帯端末は、移動性などを支援するために表示領域が他の装置に比べて相対的に小さいという特徴があり、これにより、従来、携帯端末は、小さい表示領域上に多様な機能支援のための情報を出力している。特に、最近一般化しているスマートホンユーザは、多様なオブジェクトが出力された画面上で、特定オブジェクトを選択し、自分が所望する端末機能を起動して利用している。ところが、前述したように、従来では、小さい画面に多様な情報を提供するために一定サイズに固定された形態のオブジェクトを提供している。これにより、ユーザは、どんなオブジェクトがどんな機能をするかを適切に認識しないという短所があり、その結果として、ユーザ別に各自所望するプロパティを有するオブジェクトを迅速に選択することが困難であった。また、従来、オブジェクト出力形態は、定められたイメージのみを出力するので、ユーザの好みに合わせた多様な情報を提供することができないという短所がある。このような短所は、ウィゼットオブジェクト(widget object)のように特定情報を出力するオブジェクトにおいてさらに大きい問題点として作用している。
【発明の概要】
【発明が解決しようとする課題】
【０００４】
したがって、本発明の目的は、携帯端末の画面に出力されるオブジェクトのサイズや情報配置のようなオブジェクトプロパティをユーザが所望する形態で迅速で且つ便利に調整することができるように支援するオブジェクト変更機能支援方法及びこれを支援する携帯端末を提供することにある。
【課題を解決するための手段】
【０００５】
上記目的を達成するために、本発明の好ましい実施形態によるオブジェクト変更機能支援方法は、表示部にオブジェクトを出力する出力過程と、前記出力されたオブジェクトプロパティ調整のための信号を受信する受信過程と、前記オブジェクトプロパティ調整のための信号発生によって前記オブジェクトを前記オブジェクトと同一機能の種類且つ異なるタイプで構成されたオブジェクトに変更する変更過程とを含む構成を開示する。
【０００６】
また、本発明は、表示部にオブジェクトを出力する出力過程と、前記出力されたオブジェクトプロパティ調整のための信号を受信する受信過程と、前記オブジェクトプロパティ調整のための信号発生によって前記オブジェクトを前記オブジェクトと同一機能の種類で且つ異なるタイプで構成されたオブジェクトに変更するようにガイドするガイドフレームを前記表示部に出力するガイドフレーム出力過程とを含むことを特徴とするオブジェクト変更機能支援方法の構成を開示する。
【０００７】
また、本発明は、同一の種類で且つ異なるタイプで構成された多様なオブジェクトのうちいずれか１つのオブジェクトを出力する表示部と、前記出力されたオブジェクトを異なるタイプのオブジェクトに変更するための信号によって現在の画面転換なしに前記異なるタイプのオブジェクトを前記表示部に出力するように制御するか、または現在の画面の転換なしに前記出力されたオブジェクト領域を含み、異なるタイプのオブジェクトに変更できるようにガイドするガイドフレームを前記表示部に出力するように制御する制御部とを含むことを特徴とするオブジェクト変更機能を支援する携帯端末の構成を開示する。
【発明の効果】
【０００８】
本発明の実施形態によるオブジェクト変更機能支援方法及びこれを支援する携帯端末によれば、本発明は、ユーザが所望する形態のプロパティを有するオブジェクトで迅速で且つ便利に調整することができる。
また、本発明は、最適化された形態のオブジェクトサイズを事前に提供することによって、ユーザのオブジェクト調整作業を迅速に行うように支援すると共に、最適化された形態の情報提供を支援することができる。
【図面の簡単な説明】
【０００９】
【図１】本発明の実施形態による携帯端末の構成を概略的に示す図である。
【図２】図１の制御部の構成をより詳しく示す図である。
【図３】本発明の実施形態による携帯端末のオブジェクト変更機能支援方法を示すフローチャートである。
【図４】本発明の実施形態によるオブジェクト変更機能を説明するための画面例示図である。
【図５】本発明の他の実施形態によるオブジェクト変更機能を説明するための画面例示図である。
【図６】本発明のさらに他の実施形態によるオブジェクト変更機能を説明するための画面例示図である。
【発明を実施するための形態】
【００１０】
以下、本発明による好ましい実施形態を添付の図面を参照して詳しく説明する。下記の説明では、本発明の実施形態による動作を理解するのに必要な部分のみが説明され、その他の部分の説明は、本発明の要旨を不明にしないように省略されることに留意すべきである。
【００１１】
以下で説明される本明細書及び請求範囲に使用された用語や単語は、通常の、または辞書的な意味に限定して解釈すべきものではなく、発明者は、自分の発明を最善の方法で説明するために用語の概念を適切に定義することができるという原則に即して本発明の技術的思想に符合する意味と概念として解釈されなければならない。したがって、本明細書に記載した実施形態と図面に示された構成は、本発明の最も好ましい実施形態に過ぎずり、本発明の技術的思想をすべて代弁するものではなく、本出願時点においてこれらを代替することができる多様な均等物と変形例があり得ることを理解しなければならない。
【００１２】
図１は、本発明の実施形態による携帯端末構成を概略的に示すブロック図である。
【００１３】
図１を参照すれば、本発明の携帯端末１００は、無線通信部１１０、入力部１２０、オーディオ処理部１３０、表示部１４０、格納部１５０及び制御部１６０の構成を含むことができる。以下の説明で、本発明のオブジェクト変更機能運用のための信号発生の入力手段は、タッチスクリーン機能の表示部１４０と入力部１２０などであることができる。
【００１４】
このような構成を有する本発明の携帯端末１００は、端末が起動されれば、既定のスケジュール情報によって待機画面を表示部１４０に出力することができ、この際、待機画面上には、多様な機能を支援するオブジェクトを出力することができる。特に本発明の携帯端末１００は、表示部１４０上に少なくとも１つのウィゼットオブジェクト１５１を出力することができ、ユーザ制御によって出力されたウィゼットオブジェクト１５１のサイズやプロパティ調整を行うように支援する。ここで、本発明の携帯端末１００は、ウィゼットオブジェクト１５１の調整を別途の画面調整のためのページ転換なしに現在画面ですぐ行うことができるように支援することによって、オブジェクト調整をさらに容易に行うことができるように支援する。以下、前記携帯端末１００の各構成について本発明のオブジェクト変更機能上の役目と機能についてさらに詳しく説明する。以下の説明では、本発明のオブジェクト変更機能が適用される事例についてウィゼットオブジェクトを基準にして説明する。しかし、本発明のオブジェクト変更機能がウィゼットオブジェクトに限定されるものではなく、ユーザ定義や設計者の意図によって多様なオブジェクトにも適用することができる。
【００１５】
前記無線通信部１１０は、音声通話のための通信チャネル形成及び画像通話のための通信チャネル形成、映像やメッセージなどのデータ伝送のための通信チャネル形成などを制御部１６０の制御の下に行う。すなわち、無線通信部１１０は、音声通話チャネル、データ通信チャネル及び画像通話チャネルを移動通信システム間に形成する。このために、前記無線通信部１１０は、送信される信号の周波数を上昇変換及び増幅する無線周波数送信部と、受信される信号の周波数を低雑音増幅及び下降変換する無線周波数受信部などを含むことができる。特に本発明の無線通信部１１０は、外部の特定サーバーまたは他の携帯端末とデータ通信チャネルを行うことができ、当該データ通信チャネルを基盤にして特定データをリアルタイム、一定周期または一時的に受信することができる。この際、前記無線通信部１１０が受信する特定データは、表示部１４０上に出力されたウィゼットオブジェクト１５１に適用されるデータになることができる。例えば、前記ウィゼットオブジェクト１５１が気象ウィゼットオブジェクトの場合、前記特定データは、リアルタイムで特定サーバーから受信される気象情報になることができる。また、前記ウィゼットオブジェクト１５１がメッセージウィゼットオブジェクトの場合、前記特定データは、他の端末または特定サーバーから一時的に受信されるメッセージ情報になることができる。ここで、メッセージ情報は、ショートメッセージ、マルチメディアメッセージ、電子メールなど多様な形態を含むことができる。また、前記ウィゼットオブジェクト１５１が株式情報オブジェクトの場合、前記特定データは、特定サーバーから周期的に受信される株式情報になることができる。前記無線通信部１１０が前述したような特定データを受信すれば、前記制御部１６０は、受信された特定データの少なくとも一部を表示部１４０に出力されている当該ウィゼットオブジェクト１５１に適用し、ウィゼットオブジェクト１５１を通じて出力される情報を変更するように制御することができる。
【００１６】
前記入力部１２０は、数字または文字情報を入力され、各種機能を設定するための多数の入力する及び機能キーを含む。前記機能キーは、特定機能を行うように設定された方向キー、サイドキー及びショートカットキーなどを含むことができる。また、前記入力部１２０は、ユーザ設定及び携帯端末１００の機能制御と関連したキー信号を生成し、前記制御部１６０に伝達する。このような入力部１２０は、複数数個のキーを含むクォティキーパッド、３＊４キーパッド、４＊３キーパッドなどで実現することができる。また、前記入力部１２０は、表示部１４０上に出力されるクォティキーマップ、３＊４キーマップ、４＊３キーマップ、メニューマップ、制御キーマップなどで実現することができる。また、入力部１２０は、前記携帯端末１００の表示部１４０がフルタッチスクリーン形態で支援される場合、前記携帯端末１００のケース側面に形成されるサイドキーのみを含むこともできる。特に本発明の入力部１２０は、本発明の実施形態によるウィゼットオブジェクト１５１の変更機能支援のための入力信号を生成することができる。例えば、前記携帯端末１００がフルタッチスクリーン形態で製作されず、一定の入力キーを含む形態で構成される場合、前記携帯端末１００は、ウィゼットオブジェクト１５１の変更のための少なくとも１つの参照地点を指示する情報を出力することができる。すると、前記入力部１２０は、前記ウィゼットオブジェクト１５１の変更のための参照地点指定のための入力信号をユーザ制御によって生成し、生成された入力信号を制御部１６０に伝達することができる。
【００１７】
前記オーディオ処理部１３０は、通話時に送受信されるオーディオデータ、受信されたメッセージに含まれたオーディオデータ、格納部１５０に格納されたオーディオファイル再生によるオーディオデータなどを出力するためのスピーカーＳＰＫと、通話時にユーザの音声またはその他のオーディオ信号を収集するためのマイクＭＩＣを含む。このようなオーディオ処理部１３０は、ウィゼットオブジェクト１５１の変更機能運用時にそれに対応する効果音をユーザ選択によって提供することができる。例えば、ウィゼットオブジェクト１５１が待機画面に出力された状態でユーザが当該ウィゼットオブジェクト１５１のプロパティ変更のための入力信号を生成する場合、前記オーディオ処理部１３０は、ウィゼットオブジェクト１５１のプロパティ変更モード転換のための効果音を出力することができる。また、ウィゼットオブジェクト１５１のプロパティ変更モードでユーザのタッチまたは入力信号発生時に、前記オーディオ処理部１３０は、それによる効果音出力を提供することができる。
【００１８】
前記携帯端末１００がタッチスクリーンで構成される場合、前記表示部１４０は、表示パネルとタッチパネルを含むことができる。このような表示部１４０は、表示パネル前面にタッチパネルが配置される構造を有することができる。前記表示部１４０のサイズは、タッチパネルのサイズによって決定され得る。
【００１９】
前記表示パネルは、携帯端末１００の各種メニューをはじめとしてユーザが入力した情報またはユーザに提供する情報を表示する。すなわち表示パネルは、携帯端末１００の利用による多様な画面、例えば、待機画面、メニュー画面、メッセージ作成画面、通話画面などを提供することができる。このような表示パネルは、液晶表示装置（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｅｄ  Ｄｉｏｄｅ）などで形成することができる。また、表示パネルは、タッチパネル上部または下部に配置することができる。特に、本発明の表示パネルは、ユーザ設定によって少なくとも１つのウィゼットオブジェクト１５１を出力することができる。前記携帯端末１００は、ウィゼットオブジェクト１５１を表示パネルに出力できるように携帯端末１００が支援可能なウィゼットオブジェクト１５１を収集したリストを提供することができる。これにより、ユーザは、前記リストリストを通じて所望の特定ウィゼットオブジェクト１５１を表示パネルに出力するように制御することができる。一方、前記表示パネルに出力されるウィゼットオブジェクト１５１は、タッチパネルで発生するタッチイベントによってサイズなどの特性が変更することができる。また、前記表示パネルは、ウィゼットオブジェクト１５１のプロパティ変更のためのプロパティ変更モードアプリケーション移行による画面を出力することができる。ウィゼットオブジェクト１５１のプロパティ変更モードへの転換は、ユーザ便宜のために別途の画面転換過程なしに現在画面内で行われることが好ましい。前記表示部１４０は、ウィゼットオブジェクト１５１のプロパティ変更モード移行のための効果、例えば、色反転効果または選択されたウィゼットオブジェクト１５１のみをハイライトする効果、ウィゼットオブジェクト１５１を除いた領域の影処理効果などを制御部１６０の制御によって行うことができる。これについて以下図４〜図６を参照してさらに詳しく後述する。
【００２０】
前記タッチパネルは、前記表示パネルの上下部のうち少なくとも一方に配置され、タッチ物体、例えばユーザ指接触によってタッチイベントを生成し、生成したタッチイベントを制御部１６０に伝達することができる。この際、タッチパネルを構成するセンサーは、マトリックス形態で配列され、タッチパネル上で発生するタッチイベントに対して当該位置情報とタッチイベントの種類に対する情報が制御部１６０に伝達される。特に本発明のタッチパネルは、ウィゼットオブジェクト１５１が出力された表示パネル領域に対応する位置でウィゼットオブジェクト１５１プロパティ変更のためのタッチイベントなどをユーザ制御によって生成することができる。前記タッチイベント発生のための表示パネルの画面支援などについては、後述する図面を参照してさらに詳しく説明する。
【００２１】
前記格納部１５０は、本発明の実施形態による機能動作に必要なアプリケーションプログラムをはじめとして、前記表示部１４０運用のためのキーマップやメニューマップなどを格納することができる。ここで、キーマップ、メニューマップは、各々多様な形態になることができる。すなわち、キーマップは、キーボードマップや、３＊４キーマップ、クォティキーマップなどになることができ、現在起動されているアプリケーションプログラムの運用制御のための制御キーマップになることもできる。また、メニューマップは、現在起動されている応用プログラム運用制御のためのメニューマップになることができる。このような前記格納部１５０は、大きくプログラム領域とデータ領域を含むことができる。
【００２２】
前記プログラム領域は、携帯端末１００の起動及び上記した各構成の運用のための運営体制（ＯＳ；Ｏｐｅｒａｔｉｎｇ  Ｓｙｓｔｅｍ）、多様なファイルを再生するためのアプリケーションプログラム、例えば、前記携帯端末１００の通話機能支援のためのアプリケーションプログラム、インターネットサーバーに接続するためのウェブブラウザー、その他音源を再生するためのＭＰ３ アプリケーションプログラム、写真などを再生するためのイメージ出力アプリケーションプログラム、動画再生アプリケーションプログラムなどを格納することができる。特に、本発明のプログラム領域は、ウィゼットオブジェクト変更支援プログラムを格納することができる。
前記ウィゼットオブジェクト変更支援プログラムは、表示部１４０上に出力されるウィゼットオブジェクト１５１のプロパティ、すなわちサイズまたはウィゼットオブジェクト内に出力される情報の配置や情報の内容などを調整するように支援するルーチンを含む。このようなウィゼットオブジェクト変更支援プログラムは、ウィゼットオブジェクトプロパティモード移行調節ルーチン、プロパティモード移行状態で発生するタッチイベントによって格納部１５０に格納された同一の機能種類且つ異なるタイプのウィゼットオブジェクトを表示部１４０に出力するように制御する変更ルーチン、入力完了信号発生時に現在出力されているウィゼットオブジェクト１５１を表示部１４０に固定出力するように制御するルーチンを含むことができる。前記プロパティモード移行調節ルーチンは、特定タッチイベントや特定入力信号発生によってプロパティモード移行を決定するルーチンであって、前記特定タッチイベントは、ウィゼットオブジェクト１５１が出力されたタッチパネル上で発生するロングタッチベントや、既定の回数のタップイベントなどになることができる。前記変更ルーチンは、同一機能の種類且つ異なるタイプで構成された多数のウィゼットオブジェクトのうちユーザのタッチイベントによって選択された当該プロパティのウィゼットオブジェクトを表示部１４０に出力するように制御するルーチンである。ここで、ウィゼットオブジェクト１５１は、同一の機能の種類、例えば、気象、株式、メッセージ、家計簿、ニュースなどの特定種類に該当し、当該種類別に多様なタイプの表示形態を有することができる。例えば、気象ウィゼットオブジェクトは、１×２、２×２、４×４などのサイズ別に区別して表示することができるウィゼットオブジェクトタイプを有することができる。ここで、前記ウィゼットオブジェクトタイプは、サイズだけ変わるものではなく、当該サイズ別に表示することができる情報の種類や、出力される情報の配置位置も変更することができる。これについて図４〜図６を参照してさらに詳しく説明する。 
【００２３】
前記データ領域は、携帯端末１００の使用によって発生するデータが格納される領域であって、フォンブックデータ、ウィゼット機能による少なくとも１つのオブジェクト及び多様なコンテンツを格納することができる。また、前記データ領域は、前記タッチパネルを通じて入力されるユーザ入力を格納することができる。特に前記データ領域は、同一の種類且つ多様なタイプのウィゼットオブジェクト１５１を格納することができる。
【００２４】
前記制御部１６０は、前記携帯端末１００の各構成に電源供給を制御し、初期化過程を行うように支援する。また、前記制御部１６０は、ユーザから要請された機能がウィゼットオブジェクト１５１のプロパティ変更機能であるか否かを確認する。ユーザ要請機能がウィゼットオブジェクト１５１のプロパティ変更機能の場合、前記制御部１６０は、特定種類のウィゼットオブジェクト１５１のプロパティを変更することができる変更モード移行と、変更モード移行状態でウィゼットオブジェクト１５１のプロパティ変更のための信号処理を制御することができる。ウィゼットオブジェクト１５１のプロパティ変更のための信号処理は、ウィゼットオブジェクト１５１の変更可能形態をガイドするためのガイドフレーム画面処理、入力信号またはタッチイベント発生によって多様なタイプのウィゼットオブジェクト１５１形態出力のための画面処理、入力完了信号によって特定タイプのウィゼットオブジェクト１５１を表示部１４０に出力する画面処理を含むことができる。ここで、ガイドフレームは、同一の種類且つ異なるタイプで構成されたオブジェクトの各々に対応する一定領域が重畳された形態で構成される。前述の前記制御部１６０は、図２に示されたような構成を含むことができる。
【００２５】
図２は、本発明の実施形態による制御部１６０の構成をさらに詳しく示す図である。説明に先立って、以下、制御部１６０の動作は、携帯端末１００の多様な入力信号のうちタッチイベントを基準にして説明する。しかし、本発明のウィゼットオブジェクトプロパティ変更のための制御部１６０の動作がタッチイベント信号に限定されるものではない。すなわち前記制御部１６０の動作は、前述したように、入力部１２０から入力される入力信号だけでなく、携帯端末１００に入力信号を生成することができる多様な装置から入力される信号によっても行われることができる。
【００２６】
図２を参照すれば、本発明の制御部１６０は、タッチイベント収集部１６１、ガイドフレーム出力部１６３、ウィゼットオブジェクト選択出力部１６５を含むことができる。
【００２７】
前記タッチイベント収集部１６１は、タッチパネルで発生するタッチイベントを収集する構成である。特に前記タッチイベント収集部１６１は、本発明の実施形態によるウィゼットオブジェクト１５１のプロパティを変更するためのタッチイベントを収集する。すなわち前記タッチイベント収集部１６１は、収集したタッチイベントのうちウィゼットオブジェクト１５１のプロパティを変更するためのタッチイベント発生があるか否かを確認する。また、発生したタッチイベントがウィゼットオブジェクト１５１のプロパティを変更するためのものではない場合、タッチイベント収集部１６１は、当該タッチイベントによって携帯端末１００の機能実行を制御することができる。一方、発生したタッチイベントがウィゼットオブジェクト１５１のプロパティを変更するためのタッチイベントである場合、前記タッチイベント収集部１６１は、収集したタッチイベントをガイドフレーム出力部１６３に伝達することができる。ここで、ウィゼットオブジェクト１５１のプロパティを変更するためのタッチイベントは、特定のウィゼットオブジェクト１５１が出力されたタッチパネル上で発生する特定タッチイベント、例えば、ロング−タッチイベントまたは特定回数のタップイベントなどになることができる。または、ウィゼットオブジェクト１５１のプロパティを変更するためのタッチイベントは、特定形態のマルチタッチイベントやメニュー選択のためのタッチイベントになることもできる。
【００２８】
前記ガイドフレーム出力部１６３は、前記タッチイベント収集部１６１からウィゼットオブジェクト１５１のプロパティ変更のためのタッチイベントを受信する場合、ウィゼットオブジェクト１５１の変更モード移行を制御する。この過程で、ガイドフレーム出力部１６３は、ウィゼットオブジェクト１５１の変更モード移行を表示するための表示効果を適用することができる。例えば、ガイドフレーム出力部１６３は、選択されたウィゼットオブジェクト１５１のみをハイライトし、その他の画面領域を影処理または陰影処理するように制御することができる。また、前記ガイドフレーム出力部１６３は、選択されたウィゼットオブジェクト１５１の種類に登録された異なるタイプのウィゼットオブジェクトを指定することができるガイドフレームを出力するように制御することができる。前記ガイドフレームは、表示部１４０に出力されたウィゼットオブジェクト１５１を中心に出力することができ、少なくとも１つの区分された領域、例えば、点線形態で構成された少なくとも１つの区分された領域で構成することができる。前記点線形態の領域で構成されたガイドフレームは、特定種類のウィゼットオブジェクト１５１に登録された異なるタイプのオブジェクト個数に該当する一定領域を含むことができる。すなわち特定種類のウィゼットオブジェクト１５１に３個の異なるタイプのウィゼットオブジェクトが登録されている場合、前記ガイドフレームは、３個の点線形態で構成された一定領域が各々または重畳された形態で表現することができる。前記ガイドフレームの一定領域には、各々のタイプに該当するウィゼットオブジェクト選択のための参照地点を表示することができる。
【００２９】
前記ガイドフレーム出力部１６３によってウィゼットオブジェクト１５１と少なくとも１つのガイドフレームが表示部１４０に出力された状態で特定ガイドが選択されれば、前記ウィゼットオブジェクト選択出力部１６５は、選択された特定ガイドフレームに該当するウィゼットオブジェクトイメージを出力するように支援する。また、ウィゼットオブジェクトイメージ出力後、現在出力されているウィゼットオブジェクトイメージを以前のウィゼットオブジェクト１５１に変更するための入力信号が発生すれば、前記ウィゼットオブジェクト選択出力部１６５は、当該ウィゼットオブジェクトイメージを表示部１４０に固定出力するように制御することができる。また、ウィゼットオブジェクト選択出力部１６５は、ウィゼットオブジェクト１５１の変更モードが解除された画面を出力するように制御することができる。
【００３０】
以上説明したように、本発明の実施形態による携帯端末１００は、ウィゼットオブジェクト１５１を簡単な入力方式によって便利で且つ早く変更することができると共に、変更したタイプによって同一の種類且つ多様な形態の情報出力を行うウィゼットオブジェクトを出力することによって、ユーザが様々な形式で情報にアクセスすることが可能になる。
【００３１】
図３は、本発明の実施形態によるウィゼットオブジェクト変更機能支援方法を説明するためのフローチャートである。
【００３２】
図３を参照すれば、本発明のオブジェクト変更機能支援方法は、まず、携帯端末１００に電源が供給されれば、制御部１６０が供給された電源を携帯端末１００の各構成に供給し、初期化過程を行い、既定のスケジュール情報によってＳ１０１段階のように待機画面を出力するように制御することができる。
【００３３】
その後、前記制御部１６０は、入力信号またはタッチイベント発生時、Ｓ１０３段階で発生した入力信号またはタッチイベントによるウィゼットオブジェクト１５１の変更のための入力信号またはタッチイベント発生があるかを確認することができる。この過程で、前記入力信号またはタッチイベントがウィゼットオブジェクト１５１の変更のための信号ではない場合、前記制御部１６０は、Ｓ１０５段階に分岐し、当該信号によって前記携帯端末１００のユーザ機能を行うように制御することができる。例えば、前記制御部１６０は、前記携帯端末１００が支援可能な通話機能、ファイル検索機能、ウェブ接続機能、イメージ収集機能、放送受信機能などを行うように支援することができる。
【００３４】
なお、前記Ｓ１０３段階で、ウィゼットオブジェクト１５１の変更のための信号が発生した場合、前記制御部１６０は、Ｓ１０７段階に分岐し、発生した信号による特定ウィゼットオブジェクト１５１の変更機能を行うように制御する。これをさらに詳しく説明すれば、前記制御部１６０は、ウィゼットオブジェクト１５１の変更のための信号が発生すれば、当該信号によって選択されたウィゼットオブジェクト１５１を基準にしてウィゼットオブジェクト１５１の変更モード移行を制御することができる。この際、前記制御部１６０は、当該ウィゼットオブジェクト１５１に出力された異なるタイプのウィゼットオブジェクト１５１に対する情報を格納部１５０から確認することができる。また、前記制御部１６０は、異なるタイプのウィゼットオブジェクトのサイズ及び個数情報を収集する。サイズ及び個数情報が収集されれば、前記制御部１６０は、収集されたサイズ情報を基準にしてガイドフレームを構成する。また、前記制御部１６０は、表示部１４０上にウィゼットオブジェクトが出力された地点を基準にして前記ガイドフレームを出力するように制御することができる。前記ガイドフレームには、異なるタイプのウィゼットオブジェクトへの変更を容易にするために参照地点を含むことができる。
【００３５】
次に、前記制御部１６０は、Ｓ１０９段階で、異なるタイプのウィゼットオブジェクト選択のための入力信号発生の有無を確認する。選択入力信号がない場合、Ｓ１０３段階の以前に分岐し、ウィゼットオブジェクト変更のための入力信号の有効性を確認し、Ｓ１０７段階に分岐し、ウィゼットオブジェクトを変更することができる画面状態を維持するように制御することができる。
【００３６】
なお、前記ガイドに含まれた参照地点上にタッチイベントが発生し、特定タイプのウィゼットオブジェクトが選択されれば、前記制御部１６０は、当該参照地点に該当する異なるタイプのウィゼットオブジェクトを表示部１４０上に出力することができる。この際、前記制御部１６０は、異なるタイプのウィゼットオブジェクトをプレビュータイプで出力した後、ユーザ選択完了によって当該タイプのウィゼットオブジェクトが適用された待機画面が出力されるように制御することができる。すなわち前記制御部１６０は、Ｓ１１１段階で画面転換なしに同一画面を基準にして以前のウィゼットオブジェクトを選択されたウィゼットオブジェクトに変更するように制御する。
【００３７】
さらに、前記制御部１６０は、Ｓ１１３段階で、携帯端末１００の終了のための入力信号発生の有無を確認する。別途の終了入力信号発生がない場合、前記制御部１６０は、Ｓ１０１段階以前に分岐し、Ｓ１１１段階で選択されたウィゼットオブジェクトが適用された待機画面を出力するように制御することができる。
【００３８】
図４は、本発明の実施形態によるウィゼットオブジェクト変更機能を説明するための画面例示図である。
図４を参照すれば、ユーザが携帯端末１００を起動すれば、携帯端末１００の制御部１６０は、設定されたスケジュール情報によって４０１画面のように待機画面を表示部１４０に出力するように制御することができる。例えば、前記制御部１６０は、時計ウィゼットオブジェクト２０３と第１タイプのメッセージウィゼットオブジェクト２００を含む待機画面を表示部１４０に出力するように制御することができる。ここで、前記時計ウィゼットオブジェクト２０３は、時間を表示する機能を行うオブジェクトであって、時間経過によって示すイメージが変化することができる。また、前記第１タイプのメッセージウィゼットオブジェクト２００は、一定のサイズを有し、メッセージ受信と関連して制限された情報を出力する形態で表示することができる。例えば、前記第１タイプのメッセージウィゼットオブジェクト２００は、メッセージウィゼットオブジェクトであることを指示する“Ｍｅｓｓａｇｅ”情報と最近受信されたメッセージの送信者情報、例えば、“Ｓｕｊｉ”、“Ｊｉｍ”を出力することができる。ここで、送信者情報は、電話帳(phonebook)に登録されている情報の場合、特定文字として出力されるものであり、登録されていない送信者がメッセージを伝送した場合、番号に交替することができる。また、前記第１タイプのメッセージウィゼットオブジェクト２００は、表示され得る個数以上のメッセージ受信を通知するために、定められた領域内で特定表示、例えば当該オブジェクトの右側端部にスライドバーを出力することができる。
【００３９】
なお、第１タイプのメッセージウィゼットオブジェクト２００上でウィゼットオブジェクト変更機能のためのロングタッチイベントが発生する場合、４０２画面のように、ウィゼットオブジェクト変更のためのメッセージガイドフレーム２０２を出力することができる。ここで、ウィゼットオブジェクト変更機能のための信号は、前記第１タイプのメッセージウィゼットオブジェクト２００に対応する特定領域２０１上でロングタッチイベントが発生するものと説明するが、本発明がこれに限定されるものではない。すなわち特定タッチイベント、例えば、マルチタッチイベント、特定回数のタップイベントなどと事前に設定された多様な入力信号の発生によって４０２画面を表示部１４０に出力することができる。前記制御部１６０は、ウィゼットオブジェクト変更のための信号が発生すれば、選択された第１タイプのメッセージウィゼットオブジェクト２００に登録された異なるタイプのウィゼットオブジェクトの個数とサイズ情報を収集する。また、前記制御部１６０は、当該個数とサイズ情報に対応するメッセージガイドフレーム２０２を４０２画面のように出力する。例えば、第１タイプのメッセージウィゼットオブジェクト２００に異なる２個のタイプのメッセージウィゼットオブジェクトが登録された場合、図示のように、２つの領域に区分されるメッセージガイドフレーム２０２を出力することができる。前記メッセージガイドフレーム２０２は、異なる２個のタイプのメッセージウィゼットオブジェクトに対応する参照地点２０４、２０５を出力することができる。なお、前記制御部１６０は、ウィゼットオブジェクト変更モード移行を示すために他のオブジェクトに対する表示効果、例えば時計ウィゼットオブジェクト２０３を相対的に陰影を付けて表示する効果を与えるように制御することができる。また、前記制御部１６０は、ユーザ利便性と迅速なウィゼットオブジェクト変更のために４０１画面で発生したタッチダウンイベント発生領域２０１を中心にしてメッセージガイドフレーム２０２が出力されるように制御することができる。すなわち前記制御部１６０は、メッセージガイドフレーム２０２の中心点２０３が４０１画面でのタッチダウンイベント発生領域２０１となるように画面出力を制御することができる。その結果として、ユーザは、４０１画面上でロング−タッチイベント発生のための１つの動作実行により、４０２画面でのメッセージガイドフレーム２０２への移動に連携される効果を獲得することができる。
【００４０】
次に、ユーザがＡタイプのメッセージウィゼットオブジェクト２１０を選択するために特定信号を生成した場合、前記表示部１４０は、４０３画面のように、Ａタイプのメッセージウィゼットオブジェクト２１０が出力された画面を表示部１４０上に出力することができる。このために、ユーザは、Ａタイプのメッセージウィゼットオブジェクト２１０選択のための参照地点２０４をメッセージガイドフレーム２０２上で選択するタッチイベントを生成することができる。また、前記ユーザは、Ａタイプのメッセージウィゼットオブジェクト２１０選択のために中心点２０３をタッチダウンし、タッチダウンが維持された状態で“Ａ”方向にドラッグし、Ａタイプのメッセージウィゼットオブジェクト２１０のための参照地点２０４にタッチを移動させることができる。すると、制御部１６０は、当該タッチイベント発生及び変化によって４０３画面のようにＡタイプのメッセージウィゼットオブジェクト２１０が表示部１４０に出力されるように制御することができる。Ａタイプのメッセージウィゼットオブジェクト２１０は、第１タイプのメッセージウィゼットオブジェクト２００と比較し、一定方向にさらに広くなった領域を有し、オブジェクトイメージ内に出力される内容もさらに多い情報が出力された状態を有することができる。すなわち前記Ａタイプのメッセージウィゼットオブジェクト２１０は、第１タイプのメッセージウィゼットオブジェクト２００と比較し、送信者の情報だけでなく、当該メッセージの内容の少なくとも一部を当該オブジェクトイメージ内に出力することができる。さらに、前記制御部１６０は、ユーザが中心点２０３から参照地点２０４、２０５にドラッグするうちに、ドラッグ距離が中心点２０３から一定距離以上をもって離隔する場合、そして現在タッチ地点と参照地点２０４、２０５との距離によって異なるタイプのメッセージウィゼットオブジェクトを表示部１４０に出力するように支援することができる。すなわちユーザが中心点２０３から特定参照地点までの距離すべてをドラッグしないとしても、一定のサイズ分だけドラッグする場合、前記制御部１６０は、当該参照地点と関連したメッセージウィゼットオブジェクトを表示部１４０にあらかじめ出力するように制御することができる。
【００４１】
前述した内容と同様に、ユーザがＢタイプのメッセージウィゼットオブジェクト２２０を選択するために特定信号を生成した場合、前記表示部１４０は、４０４画面のように、Ｂタイプのメッセージウィゼットオブジェクト２２０が出力された画面を表示部１４０上に出力することができる。このために、ユーザは、Ｂタイプのメッセージウィゼットオブジェクト２２０を選択するための参照地点２０５をメッセージガイドフレーム２０２上で選択するタッチイベントを生成することができる。また、前記ユーザは、Ｂタイプのメッセージウィゼットオブジェクト２２０を選択するために中心点２０３をタッチダウンし、タッチダウンが維持された状態で“Ｂ”方向にドラッグし、Ｂタイプのメッセージウィゼットオブジェクト２２０のための参照地点２０５にタッチを移動させることができる。すると、制御部１６０は、当該タッチイベント発生及び変化によって４０４画面のようにＢタイプのメッセージウィゼットオブジェクト２２０が表示部１４０に出力されるように制御することができる。Ｂタイプのメッセージウィゼットオブジェクト２２０は、第１タイプのメッセージウィゼットオブジェクト２００またはＡタイプのメッセージウィゼットオブジェクト２１０と比較し、さらに大きいオブジェクトイメージ領域を有し、オブジェクトイメージ領域内に表示される内容もさらに多様な情報が既定の方式によって配置することができる。例えば、Ｂタイプのメッセージウィゼットオブジェクト２２０は、送信者の情報、送信者の情報と関連してホンブックに格納されたイメージ情報、当該メッセージの内容の少なくとも一部を出力することができる。
【００４２】
なお、ユーザは、４０２画面で、Ａタイプのメッセージウィゼットオブジェクト２１０のための参照地点２０４を選択し、４０３画面のように、Ａタイプのメッセージウィゼットオブジェクト２１０を出力するように動作すると共に、タッチダウン状態を維持するように動作することができる。これにより、４０３画面で出力されるＡタイプのメッセージウィゼットオブジェクト２１０は、プレビュー画面状態に出力された状態になることができる。また、ユーザは、４０２画面でＢタイプのメッセージウィゼットオブジェクト２２０のための参照地点２０５を選択し、４０４画面のように、Ｂタイプのメッセージウィゼットオブジェクト２２０を出力するように動作すると共に、タッチダウン状態を維持するように動作することができる。これにより、４０４画面で出力されるＡタイプのメッセージウィゼットオブジェクト２１０は、プレビュー画面状態で出力された状態になることができる。
【００４３】
その後、ユーザがタッチダウン動作を解除する場合、すなわちタッチ解除イベント生成のための動作を行う場合、制御部１６０は、４０５画面及び４０６画面のように、選択されたウィゼットオブジェクトを表示部１４０に適用するように制御することができる。これにより、表示部１４０は、他のウィゼットオブジェクトとプロパティが変更されたウィゼットオブジェクトをすべて同一層(Ｌａｙｅｒ)上に表示されるもので示すことができる。
【００４４】
なお、４０５画面のように、Ａタイプのメッセージウィゼットオブジェクト２１０を異なるタイプ、例えば、第１タイプのメッセージウィゼットオブジェクト２００またはＢタイプのメッセージウィゼットオブジェクト２２０に変更しようとする場合、ユーザは、ウィゼットオブジェクト変更モード移行のための入力信号を生成することができる。すると、Ａタイプのメッセージウィゼットオブジェクト２１０が出力された状態で、４０２画面のようなメッセージガイドフレーム２０２が出力され、ユーザは、当該参照地点へのドラッグまたはタップ動作を行い、他のメッセージウィゼットオブジェクトが出力されるように制御することができる。同様の方式で４０６画面のように、Ｂタイプのメッセージウィゼットオブジェクト２２０を異なるタイプのメッセージウィゼットオブジェクトに変更しようとする場合、ユーザは、前述した方式のような動作を行うことによって変更することができる。この際、メッセージガイドフレーム２０２は、Ｂタイプのメッセージウィゼットオブジェクト２２０が出力されたオブジェクトイメージの内部に表示されることによって、メッセージガイドフレーム２０２をユーザがさらに容易に認識することができるように、前記制御部１６０は、Ｂタイプのメッセージウィゼットオブジェクト２２０のオブジェクトイメージに陰影を付けて処理するように制御することができる。このようなオブジェクトイメージ処理は、他のウィゼットオブジェクトの変更過程にすべて適用することができる。
【００４５】
なお、前述した説明では、ウィゼットオブジェクト変更のための信号発生をタッチイベントによって行われるように説明したが、入力部を利用して特定参照地点を指定できるように支援することができる。特定の参照地点を指定するために、制御部１６０は、ウィゼットオブジェクトタイプ別に該当する参照地点に入力部を利用して入力することができる決まったインデックスを付与することもできる。また、前述した同一のメッセージ種類の多様なタイプ、すなわち第１タイプのメッセージウィゼットオブジェクト２００、Ａタイプのメッセージウィゼットオブジェクト２１０、Ｂタイプのメッセージウィゼットオブジェクト２２０に該当するオブジェクトイメージと情報出力フォームなどは、格納部１５０に格納することができる。
【００４６】
前述したように、本発明のオブジェクト変更機能は、ユーザが所望する形態のオブジェクトのサイズと情報配置形態のオブジェクトにさらに容易に変更できるように支援する。この際、前記オブジェクト変更機能は、変更可能なメッセージガイドフレーム２０２を基準にしてプレビュー画面形態で各ウィゼットオブジェクトのオブジェクトイメージを出力することによって、特定タイプのウィゼットオブジェクト認識を迅速にし、タッチ解除などのような簡単な方式で特定タイプのウィゼットオブジェクトを画面にすぐに適用することができる。
【００４７】
図５は、本発明の実施形態によるウィゼットオブジェクト変更機能を説明するための画面例示図である。
【００４８】
図５を参照すれば、携帯端末１００の制御部１６０は、ユーザ設定などによって５０１画面のように、基本タイプ気象ウィゼットオブジェクト３００を表示部１４０に出力することができる。この過程で、ユーザが基本タイプ気象ウィゼットオブジェクト３００を異なるタイプの気象ウィゼットオブジェクト３１０、３２０、３３０、３４０に変更するための入力信号を生成する場合、前記制御部１６０は、図示のように、気象ガイドフレーム３０２を出力することができる。気象ガイドフレーム３０２は、気象ウィゼットオブジェクトと関連したタイプに該当するもので、気象ウィゼットオブジェクトに属するタイプが表示されるサイズや表示方向情報、表示内容、表示内容の配置情報を基盤として生成することができる。例えば、図示のように、気象関連ウィゼットオブジェクトが５個のタイプを有する場合、気象ガイドフレーム３０２は、５個の領域に区分され、５個の参照地点Ｃ、Ｃ１、Ｃ２、Ｃ３、Ｃ４を有する形態で構成することができる。各参照地点Ｃ、Ｃ１、Ｃ２、Ｃ３、Ｃ４は、それぞれの異なるタイプの気象ウィゼットオブジェクトに対応している。。
【００４９】
例えば、ユーザが気象ガイドフレーム３０２が出力された５０１画面上で、第１タイプ気象ウィゼットオブジェクト３１０を指定することができる第１参照地点Ｃ１を選択する信号を生成する場合、前記制御部１６０は、５０３画面のような第１タイプ気象ウィゼットオブジェクト３１０が表示部１４０に出力されるように制御することができる。ここで、前記制御部１６０は、設計方式によって第１タイプ気象ウィゼットオブジェクト３１０を先行してプレビュー画面状態に出力するように制御した後、追加的な信号によって当該第１タイプ気象ウィゼットオブジェクト３１０を画面に適用するように制御することができる。基本気象ウィゼットオブジェクト３００が現在温度情報と今日の最高及び最低温度情報のみを出力する形態なら、前記第１タイプ気象ウィゼットオブジェクト３１０は、現在温度情報、今日の最高及び最低温度、場所、情報出処、時間情報を含む形態になることができる。
【００５０】
また、ユーザが第２タイプ気象ウィゼットオブジェクト３２０選択のために第２参照地点Ｃ２を指定する場合、制御部１６０は５０５画面のように、第２タイプ気象ウィゼットオブジェクト３２０が表示部１４０に出力されるように制御することができる。前記第２タイプ気象ウィゼットオブジェクト３２０は、現在温度情報、今日の最高及び最低温度、気象イメージ及びテキスト情報、場所、情報出処、時間情報などを含む形態で構成することができる。また、ユーザが第３タイプ気象ウィゼットオブジェクト３３０選択のために第３参照地点Ｃ３を指定する場合、制御部１６０は、５０７画面のように、第３タイプ気象ウィゼットオブジェクト３３０が表示部１４０に出力されるように制御することができる。前記第３タイプ気象ウィゼットオブジェクト３３０は、現在温度情報、今日の最高及び最低温度、気象イメージ及びテキスト情報、場所、情報出処、日付情報、時間情報などを含む形態で構成することができる。最後に、ユーザが第４タイプ気象ウィゼットオブジェクト３４０選択のために第４参照地点Ｃ４を指定する場合、制御部１６０は、５０９画面のように、第４タイプ気象ウィゼットオブジェクト３４０が表示部１４０に出力されるように制御することができる。前記第４タイプ気象ウィゼットオブジェクト３４０は、現在温度情報、今日の最高及び最低温度、気象イメージ及びテキスト情報、平日気象情報、場所、情報出処、時間情報などを含む形態で構成することができる。
【００５１】
以上説明したように、本発明の携帯端末１００は、特定ウィゼットオブジェクトと関連した多様なタイプのウィゼットオブジェクトを用意し、ユーザ要請によって異なるタイプのウィゼットオブジェクトを選択することができるガイドフレームを現在のウィゼットオブジェクトが出力された画面上に出力するように支援することができる。また、ユーザがガイドフレームに用意された特定参照地点を選択する場合、当該参照地点に対応する異なるタイプのウィゼットオブジェクトを出力し、さらに容易なウィゼットオブジェクト変更を支援することができる。この際、各タイプのウィゼットオブジェクトは、各々表示されるサイズまたは表示方向が異なり、表示内容及び表示内容の配置のうち少なくとも１つが異なる形態で構成され、ユーザが所望する形態の情報とサイズを有するウィゼットオブジェクトへの変更を容易に支援することができる。前述した説明で異なるタイプのウィゼットオブジェクト選択のために参照地点を指定したり、参照地点への移動について説明したが、本発明がこれに限定されるものではない。すなわち前記ガイドフレームによって各々区分された領域上にタッチイベントが発生する場合、前記制御部１６０は、当該領域に対応するウィゼットオブジェクトがプレビュー形態で出力されるか、画面に適用するように制御することもできる。また、前記第１〜第４タイプの気象ウィゼットオブジェクト３１０、３２０、３３０、３４０が出力された各画面で異なるタイプの気象ウィゼットオブジェクトへの変更のための入力信号発生がありえ、制御部１６０は、それによって気象ガイドフレーム３０２を表示部１４０に出力するように制御することができる。
【００５２】
なお、前述した説明では、オブジェクトをウィゼットオブジェクトとして説明したが、本発明がこれに限定されるものではない。すなわち前記オブジェクトは、特定イメージファイルに対応することもできる。例えば、前記オブジェクトは、図６に示されたように、額縁機能を有するオブジェクトになることができる。これをさらに詳しく説明すれば、額縁機能オブジェクトに対するオブジェクト変更モード移行時、前記制御部１６０は、当該額縁機能オブジェクトによって出力されるイメージファイルが属するフォルダ内の他のイメージファイルを基準にしてイメージガイドフレーム４０２を生成することができる。また、前記制御部１６０は、前記イメージガイドフレーム４０２を前記額縁機能オブジェクトを基準にして表示部１４０に出力することができる。その後、ユーザがイメージガイドフレーム４０２を利用して他のイメージファイルを選択するための入力信号を生成する場合、前記制御部１６０は、選択されたイメージファイルが額縁機能オブジェクトのイメージに出力されるように制御することができる。この過程で、前記制御部１６０は、前記イメージガイドフレーム４０２上で発生するタッチイベントの位置や種類によって異なるイメージファイルに対するプレビュー画面を出力するように支援することができる。また、前記制御部１６０は、イメージガイドフレーム４０２の構成時、同一のサイズのイメージファイルを各々選択するように一定領域のイメージガイドフレーム４０２上に複数数個の参照地点を配置することができる。例えば、２×２サイズのイメージファイルが４個があり、他のサイズのイメージファイルが１個ある場合、前記制御部１６０は、当該サイズのイメージファイルに対応するイメージガイドフレーム４０２の一定領域に４個の参照地点を配置し、他の領域に１個の参照地点を配置することができる。ここで、イメージガイドフレーム４０２の領域が２×２サイズの四角形点線で表示された場合、前記制御部１６０は、各頂点または点線上の一定地点に参照地点を配置することができる。ユーザが各頂点または点線上の一定地点に配置された参照地点を選択すれば、前記制御部１６０は、当該参照地点に該当する２×２サイズのイメージファイルをプレビュー画面に出力するか、設計方式によって表示部１４０にすぐ適用するように制御することができる。上記した説明において、サイズ説明のための２×２などの基本単位は、数十〜数百ピクセル、センチメートル、インチなど多様な単位になることができる。
【００５３】
さらに、前述した説明では、ガイドフレームが提供される形態で説明したが、本発明がこれに限定されるものではない。すなわち表示部１４０に出力される現在オブジェクトを基準にして他のオブジェクトに変更する機能が起動されれば、前記制御部１６０は、現在オブジェクトを基準にして発生するタッチイベント、例えば、現在のオブジェクトからドラッグされる距離と方向によって異なるタイプのオブジェクトを表示部１４０にプレビュー形態で出力するように制御した後、ユーザ要請によって表示部１４０に適用するか、表示部１４０にすぐ適用するように制御することもできる。
【００５４】
また、前述した説明では、特定オブジェクトが異なるタイプのオブジェクトに変更されることを説明したが、ユーザ制御によって特定オブジェクト出力し、ガイドフレームの出力過程のみを行った後、別途の動作実行なしに以前出力されたオブジェクトを画面に適用する形態に戻ることもできる。したがって、本発明の特徴は、以前出力されたオブジェクトを異なるタイプのオブジェクトに容易に変更することができるガイドフレームの出力にあり、ガイドフレームの出力後に、ユーザ制御によって異なるタイプオブジェクトを出力する構成にも特徴がある。また、前述したように、本発明は、別途のガイドフレーム出力なしに生成される信号の種類や方向などによって異なるタイプオブジェクトへの変更を支援することができる。
【００５５】
前述した携帯端末１００は、近距離通信のための近距離通信モジュール、被写体の停止映像／動画を撮影するためのカメラモジュール、前記携帯端末１００の有線通信方式または無線通信方式によるデータ送受信のためのインターフェース、インターネットネットワークと通信し、インターネット機能を行うインターネット通信モジュール及びデジタル放送受信と再生機能を行うデジタル放送モジュールなどのように前記で言及していない構成を含むこともできる。このような構成要素は、デジタル機器のコンバージェンス（ｃｏｎｖｅｒｇｅｎｃｅ）傾向によって変形が非常に多様なので、すべて列挙することはできないが、前記言及された構成要素と同等な水準の構成要素が前記携帯端末１００にさらに含まれて構成することができる。また、本発明の携帯端末１００は、その実施形態によって前述した構成から特定構成が除外されるか、他の構成に代替されてもよいことは勿論である。これは、本技術分野における通常の知識を有する者には容易に理解することができる。
【００５６】
また、本発明の実施形態による前記携帯端末１００は、特定オブジェクトが画面上に出力されるすべての形態のデバイスを含むことができる。例えば、前記携帯端末１００は、多様な通信システムに対応する通信プロトコル（ｃｏｍｍｕｎｉｃａｔｉｏｎ  ｐｒｏｔｏｃｏｌｓ）に基づいて動作するすべての移動通信端末（ｍｏｂｉｌｅ  ｃｏｍｍｕｎｉｃａｔｉｏｎ  ｔｅｒｍｉｎａｌｓ）を含めて、ＰＭＰ（Ｐｏｒｔａｂｌｅ  Ｍｕｌｔｉｍｅｄｉａ  Ｐｌａｙｅｒ）、デジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン（Ｓｍａｒｔ  Ｐｈｏｎｅ）、ノート・パソコン（Ｎｏｔｅｂｏｏｋ）及びハンドヘルドパソコンなどすべての情報通信機器とマルチメディア機器及びそれに対するアプリケーション機器を含むことができる。
【００５７】
以上、本発明を好ましい実施形態を例示して説明したが、これらの実施形態は、例示的なものであって、限定的なものではない。このように、本発明の属する技術分野における通常の知識を有する者なら本発明の思想と添付の特許請求範囲に提示された権利範囲から逸脱することなく、均等論によって多様な変化と修正を加えることができることを理解することができる。
【符号の説明】
【００５８】
１００  携帯端末
１１０  無線通信部
１２０  入力部
１３０  オーディオ処理部
１４０  表示部
１５０  格納部
１５１  ウィゼットオブジェクト
１６０  制御部
１６１  タッチイベント収集部
１６３  ガイドフレーム出力部
１６５  ウィゼットオブジェクト選択出力部
２００、２１０、２２０  メッセージウィゼットオブジェクト
３００、３１０、３２０、３３０、３４０  気象ウィゼットオブジェクト
２０３、２０４，２０５、Ｃ、Ｃ１、Ｃ２、Ｃ３、Ｃ４  参照地点
２０２、３０２、４０２  ガイドフレーム
【図１】
0005977970.tif 000002
【図２】
0005977970.tif 000003
【図３】
0005977970.tif 000004
【図４】
0005977970.tif 000005
【図５】
0005977970.tif 000006
【図６】
0005977970.tif 000007